(57)【要約】【課題】回路基板への実装面積を抑制でき、多様なプラグに接続可能なソケットおよび同ソケットを備えたモジュールユニットを提供する。【解決手段】可動部材１０の一側には、コンタクト端子２０の基板接続部２１及び第１固定部材４０を配置し、可動部材１０の他側には、薄い金属材料からなる第２固定部材５０を配置している。これにより、可動部材１０の他側に配置されていた第１固定部材４０を省略することができ、ソケットの実装面積を小さくできる。また、可動部材１０は、上面部１２におけるスロット１２ａから後壁面１１ｂまでの最短長さＬ１を、可動部材１０の上面部１２におけるスロット１２ａから前壁面１１ａまでの最短長さＬ２より小さくすることができる。【選択図】図３
2019057365.tif 000002
【特許請求の範囲】
【請求項１】
第１固定部材及び第２固定部材を有し、回路基板に固定される固定部材と、
前壁面、後壁面、第１側壁面及び第２側壁面を含む立体状であって、上面にプラグ端子が挿入されるスロットを有し、前記固定部材に対して移動自在に設けられる可動部材と、
前記回路基板に固定される基板接続部および前記スロットに配置される接触部を含むコンタクト端子と、
を備えるソケットであって、
前記第１固定部材は、前記前壁面、前記第１側壁面及び前記第２側壁面に対向して配置され、前記第２固定部材は、前記可動部材の前記後壁面に対向して配置され、
前記基板接続部は、前記可動部材の前記前壁面に対向して配置され、
前記可動部材の上面部における前記スロットから前記後壁面までの最短長さＬ１を、前記可動部材の上面部における前記スロットから前記前壁面までの最短長さＬ２より小さくすることを特徴とするソケット。
【請求項２】
第１固定部材及び第２固定部材を有し、回路基板に固定される固定部材と、
前壁面、後壁面、第１側壁面及び第２側壁面とを含む立体状であって、上面にプラグ端子が挿入されるスロットを有し、前記固定部材に対して移動自在に設けられるインシュレータと、
前記回路基板に固定される基板接続部および前記スロットに配置される接触部を有するコンタクト端子と、
を備えるソケットであって、
前記第１固定部材は、前記前壁面に対向して配置される第１基部と、前記第１基部の両端から前記第１側壁面及び前記第２側壁面に沿って延在する側部とを有し、
前記第２固定部材は、前記後壁面に対向して配置される第２基部と、前記第２基部の両端から前記第１側壁面及び前記第２側壁面に沿って延在する腕部とを有し、
前記基板接続部は、前記可動部材の前記第１側壁面に対向して配置され、前記側部及び前記腕部が互いに係合されることを特徴とするソケット。
【請求項３】
前記側部の先端には、前記腕部が圧入される圧入孔が設けられていることを特徴とする請求項２に記載のソケット。
【請求項４】
前記第１側壁面および前記第２側壁面には、前記側部が案内される収納凹部が、前記可動部材の上部投影面積よりも内側となるように設けられているとともに、前記収納凹部は前記前端面から前記後端面にかけて連続して設けられていることを特徴とする請求項２に記載のソケット。
【請求項５】
前記収納凹部には、前記側部の移動を案内するガイドリブが設けられており、前記側部には、前記ガイドリブが係合するガイド溝が設けられていることを特徴とする請求項４に記載のソケット。
【請求項６】
請求項１乃至５のうちいずれか１項に記載のソケットを備えたモジュールユニットであって、
ホスト側ケーブルと電気的に接続される接続端部を有するケーブル側コネクタと、ピッチ変換端子を有するプラグ側ケースと、前記ソケットが実装されるモジュール側基板を有するモジュールケースとを備え、
前記ケーブル側コネクタ及び前記プラグ側ケースが互いに係合され、前記プラグ側ケース及び前記モジュールケースが互いに固定されることにより、前記ピッチ変換端子の一端が前記接続端部と電気的に接続され、前記ピッチ変換端子の他端が前記ソケットの前記コンタクト端子と電気的に接続されることを特徴とするモジュールユニット。
【発明の詳細な説明】
【技術分野】
【０００１】
本発明は、フローティング構造を備えたソケットおよびソケットを備えたモジュールユニットに関する。
【背景技術】
【０００２】
車載カメラや監視カメラ等のモジュールユニットは、モジュールユニットの基板に実装されるソケットを備えている。ソケットには、内部にコンタクト端子を固定するためのスロットが設けられ、スロットを介してプラグが着脱自在に電気的に接続されている。このソケットは、プラグとソケットとの相互間の取付誤差を許容するとともに、車両の振動などの影響を抑制するために、フローティング構造を備えていることが多い。
【０００３】
その一例として特許文献１（図１参照）には、車載用電子機器等に用いられるコネクタにおいて、可動ハウジング８ｂと、可動ハウジング８ｂを囲む枠体構造である固定ハウジング８ａとの相対移動を可能とするフローティング構造を用いるとともに、この構造に起因したソケットの実装面積を抑制する構造が記載されている。ところで、特許文献１においては、基板５に固定されるソケット端子９の基板接続部１３が、ソケットの一対の側壁面の両側に対向して、それぞれ配列されている。
【先行技術文献】
【特許文献】
【０００４】
【特許文献１】特開２０１５−９５４５０号公報
【特許文献２】特開２０１４−１３０７１０号公報
【発明の概要】
【発明が解決しようとする課題】
【０００５】
これに対し、特許文献２（図１乃至図２参照）に記載されたソケットは、特許文献１と同様にフローティング構造を用いているが、端子３０の基板接続部３５が、ソケットの片側の側壁面に対向して配列されている点で特許文献１に記載されているソケットと異なっている。
【０００６】
この特許文献２において、固定ハウジング１０は、特許文献１と同様に、可動ハウジング２０を囲む枠体構造であり、固定ハウジング１０における、ソケットの片側の側壁面に対向する部分は、端子３０の基板接続部３５を介して、基板に固定されている。
【０００７】
しかしながら、他方の側壁面に対向する部分には、端子３０の基板接続部３５が設けられていないため、固定ハウジング１０に固定部材４０をインサート成形し、固定部材４０を介して基板に固定ハウジング１０を固定する必要がある。
【０００８】
つまり、固定ハウジング１０には、固定部材４０を設けるために、幅方向（短手方向）の厚みが必要となる。したがって、特許文献２に記載されたソケットのように、基板接続部３５をソケットの長手方向に沿った片側のみに配列する構成を採用したとしても、ソケットの実装面積を抑制することができない。
【０００９】
また別の問題として、コンタクト端子の数を変えずに、コンタクト端子を小型化、狭ピッチ化することによりソケットの小型化は可能であるが、ソケットに接続されるプラグ端子のピッチは規格寸法である場合が多く、例えば、プラグとソケットとの間にピッチ変換基板を介在させることが要望されている。
【００１０】
そこで、本発明の目的は、ソケットのフローティング構造の一部を構成する固定部材を備え、ソケットにおけるコンタクト端子の基板接続部を片側に配列する構成において、固定部材を基板に固定する手段により実装面積を抑制でき、しかも、多様なプラグに接続可能なソケットおよび同ソケットを備えたモジュールユニットを提供することである。
【課題を解決するための手段】
【００１１】
上記課題を解決するために、本発明のソケットは、第１固定部材及び第２固定部材を有し、回路基板に固定される固定部材と、前壁面、後壁面、第１側壁面及び第２側壁面を含む立体状であって、上面にプラグ端子が挿入されるスロットを有し、前記固定部材に対して移動自在に設けられる可動部材と、前記回路基板に固定される基板接続部および前記スロットに配置される接触部を含むコンタクト端子と、を備えるソケットであって、前記第１固定部材は、前記前壁面、前記第１側壁面及び前記第２側壁面に対向して配置され、前記第２固定部材は、前記可動部材の前記後壁面に対向して配置され、前記基板接続部は、前記可動部材の前記前壁面に対向して配置され、前記可動部材の上面部における前記スロットから前記後壁面までの最短長さＬ１を、前記可動部材の上面部における前記スロットから前記前壁面までの最短長さＬ２より小さくするものである。
【００１２】
また、本発明のソケットは、第１固定部材及び第２固定部材を有し、回路基板に固定される固定部材と、前壁面、後壁面、第１側壁面及び第２側壁面とを含む立体状であって、上面にプラグ端子が挿入されるスロットを有し、前記固定部材に対して移動自在に設けられるインシュレータと、前記回路基板に固定される基板接続部および前記スロットに配置される接触部を有するコンタクト端子と、を備えるソケットであって、前記第１固定部材は、前記前壁面に対向して配置される第１基部と、前記第１基部の両端から前記第１側壁面及び前記第２側壁面に沿って延在する側部とを有し、前記第２固定部材は、前記後壁面に対向して配置される第２基部と、前記第２基部の両端から前記第１側壁面及び前記第２側壁面に沿って延在する腕部とを有し、前記基板接続部は、前記可動部材の前記第１側壁面に対向して配置され、前記側部及び前記腕部が互いに係合されるものである。
【００１３】
また、上記ソケットは、前記側部の先端には、前記腕部が圧入される圧入孔が設けられていることを特徴とするものとしてもよい。
【００１４】
また、上記ソケットは、前記第１側壁面および前記第２側壁面には、前記側部が案内される収納凹部が、前記可動部材の上部投影面積よりも内側となるように設けられているとともに、前記収納凹部は前記前端面から前記後端面にかけて連続して設けられていることを特徴とするものとしてもよい。
【００１５】
また、上記ソケットは、前記収納凹部には、前記側部の移動を案内するガイドリブが設けられており、前記側部には、前記ガイドリブが係合するガイド溝が設けられていることを特徴とするものとしてもよい。
【００１６】
また、上記ソケットを備えたモジュールユニットは、ホスト側ケーブルと電気的に接続される接続端部を有するケーブル側コネクタと、ピッチ変換端子を有するプラグ側ケースと、前記ソケットが実装されるモジュール側基板を有するモジュールケースとを備え、前記ケーブル側コネクタ及び前記プラグ側ケースが互いに係合され、前記プラグ側ケース及び前記モジュールケースが互いに固定されることにより、前記ピッチ変換端子の一端が前記接続端部と電気的に接続され、前記ピッチ変換端子の他端が前記ソケットの前記コンタクト端子と電気的に接続されることを特徴とするものとしてもよい。
【発明の効果】
【００１７】
本発明のソケットによれば、ソケットのフローティング構造の一部を構成する固定部材を備え、ソケットにおけるコンタクト端子の基板接続部を片側に配列する構成において、固定部材を基板に固定する手段により実装面積を抑制できる。
【図面の簡単な説明】
【００１８】
【図１】本発明の実施形態に係るソケットを示す正面側斜視図である。
【図２】図１に示されるソケットの背面側斜視図である。
【図３】図１に示されるソケットを分解した正面側斜視図である。
【図４】図１に示されるソケットの一例の上面図である。
【図５】図１に示されるソケットの他の一例の上面図である。
【図６】本発明の実施形態に係るソケットへの接続方法の一例としてダイレクト接続を採用したモジュールユニットを上方から見た斜視図である。
【図７】図６に示されるモジュールユニットを分解し上方から見た斜視図である。
【図８】図６に示されるモジュールユニットを分解し下方から見た斜視図である。
【図９】図６に示されるモジュールユニットに用いられるプラグ側ケースの縦断面図である。
【発明を実施するための形態】
【００１９】
以下、本発明の実施形態を、図面を参照して説明する。
【００２０】
図１乃至図２は、本発明の実施形態に係るソケットを示す正面側斜視図及び背面側斜視図である。また、図３は、図１に示されるソケットを分解した正面側斜視図である。この実施形態において、Ｘ軸方向は、コンタクト端子２０の基板接続部２１の配列方向を示すものであり、Ｙ軸方向は、Ｘ軸方向と直交し、かつ、モジュール側基板９１と平行な方向を示すものであり、Ｚ軸方向は、Ｘ軸方向及びＹ軸方向と直交し、モジュール側基板９１と垂直な方向を示すものである。
【００２１】
ソケット１は、上面部１２にプラグ８９（図８乃至図９参照）が差し込まれるスロット１２ａを有する可動部材１０と、後述するフローティング構造を介して可動部材１０が移動可能に支持される固定部材３０と、プラグ８９の下部ピッチ変換端子８２Ｂ（図９参照）と、モジュール側基板９１のランドとを電気的に接続するコンタクト端子２０とを備えている。可動部材１０は、詳細は後述するが、コンタクト端子２０の一部及び固定部材３０の一部を収容するものである。以下、それらの概要を順に説明する。
【００２２】
可動部材１０は、絶縁性を有する合成樹脂の成形品からなり、図３においてＺ軸方向からみて外縁を画定する、Ｙ軸方向に互いに対向する一対の前壁面１１ａおよび後壁面１１ｂと、Ｘ軸方向に互いに対向する一対の第１側壁面１３ａ及び第２側壁面１３ｂとを有し、Ｘ軸方向に沿って延在する直方体形状に形成されている。また、可動部材１０は、上面部１２におけるスロット１２ａから後壁面１１ｂまでの最短長さＬ１を、可動部材１０の上面部１２におけるスロット１２ａから前壁面１１ａまでの最短長さＬ２より小さくしている。
【００２３】
固定部材３０は、第１固定部材４０及び第２固定部材５０から構成されている。
【００２４】
第１固定部材４０は、絶縁性を有する合成樹脂の成形品からなり、Ｘ軸方向に延在する第１の基部４１と、第１の基部４１のＸ軸方向の両端部に設けられる一対の側部４２ａ，４２ｂと、第１の基部４１及び一対の側部４２ａ，４２ｂにより囲まれる開放部４３とを備えている。ここで、第１固定部材４０は、図３においてＺ軸方向からみると、Ｕ字形状となっている。
【００２５】
第２固定部材５０は、薄板の金属材料からなり、Ｘ軸方向に延在する第２の基部５１と、第２の基部５１の両端部の上下においてＹ軸方向のプラス側に延在する一対の腕部５２と、第２の基部５１の両端部の下面に設けられる一対の脚部５７とを備えている。ここで、第２固定部材５０は、図３においてＺ軸方向からみると、Ｕ字形状となっている。
【００２６】
コンタクト端子２０は、接触部２２と、接触部２２に接続される第１の係合部２４と、基板接続部２１と、基板接続部２１に接続される第２の係合部２６と、第２の係合部２６に接続されるヒンジ部２７と、ヒンジ部２７と第１の係合部２４とが接続される連結部２９とを備えている。
【００２７】
次に、図３に示されるソケットを分解した正面側斜視図を参照して詳細を説明する。ここで、図３における、矢印Ａの示す方向は、可動部材１０に対してコンタクト端子２０を組み付ける方向、矢印Ｂの示す方向は、可動部材１０に対して第１固定部材４０を組み付ける方向、及び、矢印Ｃの示す方向は、可動部材１０に対して第２固定部材５０を組み付ける方向を示すものである。
【００２８】
まず、可動部材１０のＺ軸方向の上面部１２には、可動部材１０のＸ軸方向に沿って延在するスロット１２ａが長方形状に形成されている。スロット１２ａは、可動部材の上面部１２から下端に向けて解放された貫通孔と連通している。また、スロット１２ａの内周縁には、誘い込み用の面取り部が設けられている。
【００２９】
このスロット１２ａには、コンタクト端子２０が収納されている。詳しくは、スロット１２ａの互いに対向する長辺（図３では前壁面１１ａおよび後壁面１１ｂに対向する辺）には、端子溝１９が、仕切壁１８を挟んで等間隔で３カ所ずつ（前後合わせて６カ所）設けられている。この端子溝１９にコンタクト端子２０の接触部２２が収納されるとともに、第１の係合部２４が固定されている。これにより、端子溝１９内に、コンタクト端子２０の接触部２２が、Ｚ軸方向のプラス側に延びるように配置されている。
【００３０】
次に、可動部材１０の前壁面１１ａ側には、大収納部１４が設けられている。大収納部１４は、可動部材１０の前壁面１１ａの下端から上端側にかけての一部を内側（図３ではＹ軸方向のマイナス側）に向けて一段低くなるように凹ませた凹部からなる。
【００３１】
この大収納部１４には、コンタクト端子２０及び第１固定部材４０が収容されている。また、大収納部１４の上部には、コンタクト端子２０を保護する鍔状の上面部１２が形成されており、これにより、コンタクト端子２０のヒンジ部２７が覆い隠されるようになっている。詳しくは、第１固定部材４０には、第１の基部４１の開放部４３側に、隔壁４５により離間された保持部４６が設けられるとともに、第１の基部４１及び一対の側部４２ａ，４２ｂの接続部の下方に、モジュール側基板９１に接触される一対の支持部４４が設けられている。この保持部４６にコンタクト端子２０の第２の係合部２６が固定されるとともに、一対の支持部４４間に設けられる空間を介してコンタクト端子２０の基板接続部２１が外側に引き出されている。
【００３２】
続いて、可動部材１０の後壁面１１ｂ側には、小収納部１５が設けられている。小収納部１５は、可動部材１０の後壁面１１ｂの下端から上端側にかけての一部を内側（図３ではＹ軸方向のプラス側）に向けて一段低くなるように凹ませた凹部からなる。
【００３３】
この小収納部１５には、第２固定部材５０の第２の基部５１が収容されている。
【００３４】
また、第１側壁面１３ａ及び第２側壁面１３ｂは、スロット１２ａを挟んで互いに対称に形成されている。第１側壁面１３ａには、第１収納凹部１６ａが設けられ、第２側壁面１３ｂには、第２凹部１６ｂが設けられている。第１収納凹部１６ａは、第１側壁面１３ａを内側（図３ではＸ軸方向のマイナス側）に向かって一段低く形成された凹部からなり、前壁面１１ａ側から後壁面１１ｂ側に向かって連続して形成されている。一方、第２収納凹部１６ｂは、第２側壁面１３ｂを内側（図３ではＸ軸方向のプラス側）に向かって一段低く形成された凹部からなり、前壁面１１ａ側から後壁面１１ｂ側に向かって連続して形成されている。
【００３５】
この第１収納凹部１６ａ及び第２収納凹部１６ｂには、第１固定部材４０の一対の側部４２ａ，４２ｂが収納されている。
【００３６】
これによれば、第１収納凹部１６ａ及び第２収納凹部１６ｂは、Ｚ軸方向から見た可動部材１０の上面投影面積よりも内側に、第１固定部材４０の一対の側部４２ａ，４２ｂが、配置されることを許容するため、全体の外形寸法を抑えることができる。
【００３７】
さらに、第１収納凹部１６ａ及び第２収納凹部１６ｂには、ガイドリブ１７がそれぞれ設けられている。ガイドリブ１７は、Ｙ軸方向に沿って水平に延在する凸リブであって、その上面及び下面には、互いに平行な一対のガイド面１７ａ，１７ｂが設けられている。本実施例におけるガイドリブ１７の形状は、任意に選択し得るものであり、例えば、四角柱や円柱等が用いられてもよい。
【００３８】
このガイドリブ１７は、第１固定部材４０の一対の側部４２ａ，４２ｂを案内するものである。詳しくは、第１固定部材４０の一対の側部４２ａ，４２ｂには、Ｙ軸方向のマイナス側に開口するガイド溝４７が設けられている。このガイド溝４７とガイドリブ１７の一対のガイド面１７ａ，１７ｂとが互いに係合することにより、可動部材１０が第１固定部材４０に対して、Ｘ軸方向及びＹ軸方向に沿ってスライドするようになっている。
【００３９】
さらに、この第１固定部材４０の一対の側部４２ａ，４２ｂには、第２固定部材５０の一対の腕部５２が収容されている。詳しくは、第１固定部材４０の一対の側部４２ａ，４２ｂには、ガイド溝４７を挟んでＹ軸方向のマイナス側に開口した一対の圧入孔４８が設けられている。この一対の圧入孔４８に、第２固定部材５０の一対の腕部５２が圧入固定されている。したがって、第２固定部材５０の第２の基部５１及び一対の腕部５２が、可動部材１０の小収容部１５及び第１固定部材４０の一対の圧入孔４８内にそれぞれ収容されることにより、ソケット１のＸ軸方向及びＹ軸方向における実装面積を抑制することができる。
【００４０】
ここからは、ソケット１のフローティング構造について説明する。ソケット１は、第１固定部材４０及び第２固定部材５０とからなる固定部材３０に対して移動可能に可動部材１０を支持するフローティング構造を備えている。ここで、可動部材１０がＹ軸方向に移動可能とするために、第１固定部材４０のガイド溝４７のＹ軸方向の長さを、可動部材１０のガイドリブ面１７ａのＹ軸方向の長さより、大きく設定している。また、可動部材１０がＸ軸方向に移動可能とするために、第１固定部材４０の側部４２ａ，４２ｂ内側のＸ軸方向の長さを、可動部材１０の一対の第１収容凹部１６ａ及び第２収容凹部１６ｂのＸ軸方向の長さより、大きく設定している。
【００４１】
固定部材３０は、コンタクト端子２０の第２の係合部２６及び一対の脚部５７を介して、モジュール側基板９１のランドに固定されている。一方、可動部材１０は、コンタクト端子２０のヒンジ部２７を介して、モジュール側基板９１に固定されている。したがって、可動部材１０は、ヒンジ部２７の変形に応じて固定部材３０に対して、Ｘ軸方向及びＹ軸方向に変位することができる。具体的には、ヒンジ部２７の両側のコンタクト端子２０はヒンジ部２７を支点としてＹ軸方向またはＸ軸方向において開きまたは閉じる変形をする。
【００４２】
本発明のソケット１は、コンタクト端子２０の基板接続部２１を、可動部材１０のＹ軸方向のプラス側に配置している。これにより、可動部材１０のＹ軸方向のマイナス側には、コンタクト端子２０が存在しないことから、コンタクト端子２０を収容するための可動部材１０の大収容部１４及び第１固定部材４０の開放部４３を省略することができ、その代わりに、厚みの薄い金属材料からなる第２固定部材５０を採用することができる。これにより、可動部材１０は、上面部１２におけるスロット１２ａから後壁面１１ｂまでの最短長さＬ１を、可動部材１０の上面部１２におけるスロット１２ａから前壁面１１ａまでの最短長さＬ２より小さくすることができ、ソケット１の実装面積を抑制することができる。
【００４３】
本実施例におけるソケット１の端子溝１９及び接触部２２の数や配置は、対応するプラグの形状に合わせ自由に定め得るものである。以下に、その配置例を示すが、これに限定されるものではない（図４乃至図５）。
【００４４】
図４において、可動部材１０の上面部１２に開口するスロット１２ａの互いに対向する長辺（図４では前壁面１１ａおよび後壁面１１ｂに対向する辺）には、コンタクト端子２０の接触部２２が収納される端子溝１９が、仕切壁１８を挟んで等間隔で３カ所ずつ（前後合わせて６カ所）設けられている。また、可動部材１０の前壁面１１ａ側には、コンタクト端子２０の基板接続部２１が配置されている。
【００４５】
図５において、ソケット１０１は、ソケット１と同様のフローティング構造を備えている。可動部材１１０の上面部１１２に開口するスロット１１２ａの互いに対向する長辺（図５では前壁面１１１ａおよび後壁面１１１ｂに対向する辺）には、コンタクト端子１２０の接触部１２２が収納される端子溝１１９が、仕切壁１１８を挟んで等間隔で２カ所ずつ（前後合わせて４カ所）設けられている。
【００４６】
スロット１１２ａの互いに対向する短辺（図５では第１側壁面１１３ａ及び第２側壁面１１３ｂに対向する辺）には、コンタクト端子１２０の接触部１２２が収納される端子溝１１９が１カ所ずつ設けられている。また、可動部材１０の前壁面１１１ａ側には、コンタクト端子１２０の基板接続部１２１が配置されている。
【００４７】
以上のように、本実施形態のソケット１，１０１によれば、端子溝１９，１１９や接触部２２，１２２の数や配置を自由に定めることができる。よって、例えば、本発明のソケットは、ソケットへの接続方法として、車載センサ用カメラ等のモジュールユニットに用いられるダイレクト接続や、ねじ等において位置決めが行われるドロワー接続にも対応できる。これにより、ソケット１の汎用性を増やすことができ、使用用途により接続方法を自由に選択することが可能となる。
【００４８】
本発明は、上記ソケットを用いたモジュールユニットにも関する。
【００４９】
図６は、本発明の実施形態に係るソケットへの接続方法の一例としてダイレクト接続を採用したモジュールユニットを上方から見た斜視図である。図７乃至図８は、図６に示されるモジュールユニットを分解し上方及び下方から見た斜視図である。
【００５０】
図６乃至図８を参照して、モジュールユニット１００は、多芯ケーブルや同軸ケーブル等のホスト側ケーブル６０が固定されるケーブル側コネクタ７０と、ケーブル側コネクタ７０と接続されるプラグ側ケース８０と、プラグ側ケース８０と接続されるモジュールケース９０とを備える。
【００５１】
まず、ホスト側ケーブル６０は、導線部が被覆される複数の信号線（不図示）を備える。
【００５２】
次に、ケーブル側コネクタ７０は、ホスト側ケーブル６０が挿入されるケーブル挿入穴７１と、プラグ側ケース８０が挿入される挿入部７２と、開口部７３と、底面７４とを備える。
【００５３】
挿入部７２は、内壁に設けられるガイド溝７５と、内部に設けられるインシュレータ７６とを設けるものである。ここで、インシュレータ７６の挿入穴７７内に、ホスト側ケーブル６０の複数の信号線に接続される接続端部（不図示）が固定されている。
【００５４】
開口部７３は、挿入部７２に連通され、開口部７３の一辺には、プラグ側ケース８０の係合突起部８１に係合されるため、平坦な平面形状に形成される開口係合部７９を設けている。
【００５５】
底面７４は、後述するプラグ側ケース８０の肩部８７に当接させるものである。
【００５６】
続いて、プラグ側ケース８０は、上部プラグ側ケース８０Ａと、下部プラグ側ケース８０Ｂと、ピッチ変換端子８２とを備える（図９を参照）。
【００５７】
上部プラグ側ケース８０Ａの内周部は、ケーブル側コネクタ７０の接続端部７８（図中の上側破線領域）が挿入されるケーブル用コネクタ嵌合部８５と、接続端部７８に接続される上部ピッチ変換端子８２Ａとを備える。また、上部プラグ側ケース８０Ａの外周部は、係合部８３と、係合部８３を挟んで配置されるガイド部８４とを備えている。ここで、係合部８３は、ばね性を有する片持ち梁形状に形成され、先端に係合突起部８１を備える。
【００５８】
下部プラグ側ケース８０Ｂの内周部は、モジュール側基板９１に実装されるソケット１（図中の下側破線領域）が挿入されるソケット嵌合部８８と、下部ピッチ変換端子８２Ｂと、下部ピッチ変換端子８２Ｂが設けられ、ソケット１に接続されるプラグ８９とを備える。また、下部プラグ側ケース８０Ｂの外周部は、後述するモジュールケース９０の孔９３とねじ等により係合する貫通孔８６（図７乃至図８参照）と、ケーブル側コネクタ７０の底面７４と当接する肩部８７とを備えている。加えて、プラグ８９の先端は、ソケット１への位置合わせを容易にするために、誘い込み用の面取り部が設けられている。
【００５９】
ピッチ変換端子８２は、プラグ側ケース８０の中心軸線に平行に３本ずつ２列に配置され、基部ピッチ変換端子８２Ｃを介して下部プラグ側ケース８０Ｂに埋設されており、上部プラグ側ケース８０Ａの端部側を上部ピッチ変換端子８２Ａとし、下部プラグ側ケース８０Ｂの端部側を下部ピッチ変換端子８２Ｂとするものである。上部ピッチ変換端子８２Ａは、ケーブル側コネクタ７０の接続端部７８に電気的に接続される。一方、下部ピッチ変換端子８２Ｂは、モジュール側基板９１に実装されるソケット１に電気的に接続される。
【００６０】
ここで、図９における立設される３本のうち真ん中のピッチ変換端子８２について、上部ピッチ変換端子８２Ａの中心軸線（破線）及び下部ピッチ変換端子８２Ｂの中心軸線（破線）が、互いに同軸上に配置されている。一方、立設される３本のうち両側のピッチ変換端子８２については、上部ピッチ変換端子８２Ａの中心軸線（破線）及び下部ピッチ変換端子８２Ｂの中心軸線（破線）が、基部ピッチ変換端子８２Ｃを介して、互いにｄｘだけシフトされている。これにより、下部ピッチ変換端子８２ＢのピッチＰ２を、上部ピッチ変換端子８２ＡのピッチＰ１よりｄｘだけ小さくするピッチ変換を可能とするものである。
【００６１】
図９に示される本実施形態の一例では、ケーブル側コネクタ嵌合部７５に立設される上部ピッチ変換端子８２ＡのピッチＰ１を、２．０ｍｍとし、ソケット嵌合部８８に立設される下部ピッチ変換端子８２ＢのピッチＰ２を、１．８ｍｍとしている。
【００６２】
最後に、モジュールケース９０は、外面部に、車載センサ用カメラ等の受光部９２と、プラグ側ケース８０の貫通孔８６とねじ等により係合する孔９３とを備える。また、内面部には、ソケット１が実装されるモジュール側基板９１を備える。また、モジュール側基板９１は、四隅に円弧状の切欠部９４を有している。
【００６３】
次に、図７乃至図８に示されるモジュールユニットを分解し上方及び下方から見た斜視図を参照して、モジュールユニット１００の組み付けについて説明する。
【００６４】
まず、ケーブル側コネクタ７０とプラグ側ケース８０との組み付けについて説明する。
【００６５】
ケーブル側コネクタ７０のガイド溝７５とプラグ側ケース８０のガイド部８４を係合させ、相対的な移動をガイドさせる。その後、上部プラグ側ケース８０Ａを、ケーブル側コネクタ７０の挿入部７２に挿入させる。次に、プラグ側ケース８０のケーブル側コネクタ嵌合部７５を、ケーブル側コネクタ７０のインシュレータ７６に挿入させる。さらに、ケーブル側コネクタ嵌合部７５に立設されている上部ピッチ変換端子８２Ａを、インシュレータ７６に設けられる挿入穴７７に挿入させ、接続端部７８と電気的に接続させる。最後に、ケーブル側コネクタ７０の底面７４を、プラグ側ケース８０の肩部８７に当接させるとともに、係合部８３の先端に設けられる係合突起部８１を、自らのばね性により、ケーブル側コネクタ７０の開口部７３から外方へと突出させ、開口係合部７９と係合させている。
【００６６】
次に、プラグ側ケース８０とモジュールケース９０との組み付けについて説明する。
【００６７】
モジュールケース９０のモジュール側基板９１を、プラグ側ケース８０のソケット嵌合部８８に挿入させる。次に、プラグ側ケース８０のプラグ８９を、モジュール側基板９１に実装されるソケット１に当接させる。この際、プラグ８９先端及びソケット１のスロット１２ａ内周縁にそれぞれ設けられる面取り部により、Ｘ軸方向及びＹ軸方向の取付け誤差が修正させている。また、フローティング構造を備えるソケット１において、この取付け誤差を吸収するために、固定部材３０に対して可動部材１０を移動させるものである。最後に、プラグ側ケース８０の貫通孔８６及びモジュールケース９０の孔９３をねじ等により係合させている。
【００６８】
以上のように、本実施形態のソケット１を備えたモジュールユニット１００によれば、プラグ側ケース８０は、下部ピッチ変換端子８２ＢのピッチＰ２を、上部ピッチ変換端子８２ＡのピッチＰ１よりｄｘだけ小さくするピッチ変換を可能とするものである。これにより、下部ピッチ変換端子８２Ｂが接続されるソケット１の小型化を行うことができる。よって、ソケット１が実装されるモジュール側基板９１における実装面積を抑制することができ、モジュールユニット１００の小型化を行うことができる。
【００６９】
また、本実施形態のソケット１を備えたモジュールユニット１００によれば、プラグ側ケース８０は、上部ピッチ変換端子８２ＡのピッチＰ１を、下部ピッチ変換端子８２ＢのピッチＰ２よりｄｘだけ大きくするピッチ変換を可能とするものである。これにより、上部ピッチ変換端子８２Ａが接続されるケーブル側コネクタ２０のサイズ（ピッチ等）に左右されずに、同一のソケット１を使用することができる。
【符号の説明】
【００７０】
１，１０１  ソケット
１０，１１０  可動部材
１２，１１２  上面部
１２ａ，１１２ａ  スロット
１３ａ  第１側壁面
１３ｂ  第２側壁面
１４，１１４  大収容部
１５  小収容部  
１６ａ  第１収容凹部
１６ｂ  第２収容凹部
１７  ガイドリブ
２０，１２０  コンタクト端子
２１，１２１  基板接続部
３０  固定部材
４０，１４０  第１固定部材
４２ａ，４２ｂ  側部
４８  圧入孔
５０，１５０  第２固定部材
５２  腕部
６０  ホスト側ケーブル
７０  ケーブル側コネクタ
８０  プラグ側ケース
８２  ピッチ変換端子
８９  プラグ
９０  モジュールケース
９１  モジュール側基板
１００  モジュールユニット
【図１】
2019057365.tif 000003
【図２】
2019057365.tif 000004
【図３】
2019057365.tif 000005
【図４】
2019057365.tif 000006
【図５】
2019057365.tif 000007
【図６】
2019057365.tif 000008
【図７】
2019057365.tif 000009
【図８】
2019057365.tif 000010
【図９】
2019057365.tif 000011